(57)【要約】【課題】  ＩＰ電話装置で特番の発呼が行われたとき、ＩＰセントレックスでは被呼側が発呼元を特定することができない。そこで、被呼側が発呼元を特定できるようにする。【解決手段】  インターネット網１０を介することなく公衆回線網の所定の局に接続された構内ゲートウェイ３を備え、特番を記憶するメモリ５２と、前記記憶された特番と一致する特番が指定されて発呼するときは前記構内ゲートウェイ３を介して公衆回線網２０に発呼を行い、前記特番でない番号が指定されて発呼するときは前記セントレックスサーバに発呼を行う制御回路５１を備える。【選択図】        図１
2006287475.tif 000002
【特許請求の範囲】
【請求項１】
インターネット網に接続されたセントレックスサーバに発呼信号を送信することによりインターネット網の他のＩＰ電話装置や公衆回線網の加入者電話装置と通話を確立することができるＩＰ電話装置を有する構内ＩＰ電話システムにおいて、
インターネット網を介することなく公衆回線網の所定の局に接続された構内のゲートウェイを備え、
特番を記憶する記憶手段と、前記記憶された特番と一致する特番が指定されて発呼するときは前記構内のゲートウェイを介して公衆回線網に発呼を行い、前記特番でない番号が指定されて発呼するときは前記セントレックスサーバに発呼を行う制御手段を備えたことを特徴とする構内ＩＰ電話装置システム。
【請求項２】
インターネット網を介して他のＩＰ電話装置と通話を確立することができ、また、インターネット網と複数のセントレックスのゲートウェイと該夫々のゲートウェイに接続された公衆回線網の夫々の局を介して加入者電話装置と通話を確立することができるＩＰ電話装置を有する構内ＩＰ電話システムにおいて、
インターネット網を介することなく公衆回線網の所定の局に接続された構内のゲートウェイを備え、
特番を記憶する記憶手段と、前記記憶された特番と一致する特番が指定されて発呼するときは前記構内のゲートウェイを介して公衆回線網に発呼を行い、前記特番でない番号が指定されて発呼するときはインターネット網に発呼を行う制御手段を備えたことを特徴とする構内ＩＰ電話装置システム。
【発明の詳細な説明】
【技術分野】
【０００１】
本発明は、公衆回線網に特番の発呼を行うＩＰ電話装置に関する。
【背景技術】
【０００２】
通信事業者が提供する企業向けのＩＰ電話サービスとしてＩＰセントレックス（IP centrex）がある。図３はその構成を示すブロック図である。企業の構内のＶｏＩＰ電話装置（４）（５）（６）で発呼操作を行われると、発呼信号のIPパケットはインターネット網（１０）を通してセントレックスサーバ（ＩＰ BOX）に送信される。セントレックスサーバ（１４）は呼制御を行うものであり、ＩＰ電話装置（４）（５）（６）からの発呼信号の発呼先に応じて、インターネット網（１０）のＶｏＩＰ電話装置（１２）や公衆回線網（２０）の加入者電話装置を発呼させる。このように、ＩＰセントレックスでは公衆回線網（２０）の加入者電話装置（２２）（２５）との通話も可能である。
【発明の開示】
【発明が解決しようとする課題】
【０００３】
しかしながら、ＩＰセントレックスは複数のゲートウェイを有しており最適な経路となるゲートウェイにより公衆回線網に接続される。このために、公衆回線網の番号が特番（１００番や１１９番など、１から始まる「１××」の番号、ＮＴＴ特番とも呼ばれる。）であった場合は、どの市外局番の緊急通報施設と接続されるか特定できない。従って、緊急通報施設、あるいは緊急通報施設から転送された警察署や消防署などは発信元を特定することができないという問題があった。このために、ＩＰセントレックスでは特番の発呼を禁止する通信業者が多い。
【課題を解決するための手段】
【０００４】
本発明はかかる点に鑑みなされたもので、インターネット網を介することなく公衆回線網の所定の局に接続された構内のゲートウェイを備え、
特番を記憶する記憶手段と、前記記憶された特番と一致する特番が指定されて発呼するときは前記構内のゲートウェイを介して公衆回線網に発呼を行い、前記特番でない番号が指定されて発呼するときは前記セントレックスサーバに発呼を行う制御手段を備える。
【０００５】
また、インターネット網を介することなく公衆回線網の所定の局に接続された構内のゲートウェイを備え、
特番を記憶する記憶手段と、前記記憶された特番と一致する特番が指定されて発呼するときは前記構内のゲートウェイを介して公衆回線網に発呼を行い、前記特番でない番号が指定されて発呼するときはインターネット網に発呼を行う制御手段を備える。
【発明の効果】
【０００６】
本発明は、インターネット網を介することなく公衆回線網の所定の局に接続された構内のゲートウェイを備え、特番を記憶する記憶手段と、前記記憶された特番と一致する特番が指定されて発呼するときは前記構内のゲートウェイを介して公衆回線網に発呼を行う。
【０００７】
このように、所定の市外局番の公衆回線網の局に接続されるが、接続申請書類の情報から、緊急通報施設側は構内のゲートウェイの居所を知ることができる。
【発明を実施するための最良の形態】
【０００８】
本発明の実施の形態を図面に基づき説明する。図１は本実施例の構内ＩＰ電話システムの要部を示すブロック図である。会社の敷地内に設置されたルータ（２）がインターネット網（１０）に接続される。このインターネット網（１０）にはＩＰセントレックスの通信業者が有するセントレックスサーバ（１４）がルータ（１３）を介して接続される。セントレックスサーバ（１４）は交換機の機能を行う。例えば、セントレックスサーバ（１４）はＩＰパケットで送信される発呼要求の信号を受信すると、発呼先に応じてインターネット網（１０）に接続されるＶｏＩＰ電話装置や、インターネット網（１０）に接続されるセントレックスゲートウェイ（１６）を介して公衆回線網（２０）の加入者電話装置（２５）（緊急通報施設（２６）を含む。）に発呼信号を送信する。このセントレックスゲートウェイ（１６）は複数配設され、夫々市外局番が異なる地域の局に接続されている。セントレックスサーバ（１４）は最適な経路となるセントレックスゲートウェイ（１６）を選択する。尚、セントレックスサーバ（１４）は発呼先が特番であれば、接続を拒否する。
【０００９】
ルータ（２）に構内ゲートウェイ（３）、ＶｏＩＰ電話装置Ａ（４）、ＶｏＩＰ電話装置Ｂ（５）とＶｏＩＰ電話装置Ｃ（６）が接続される。
【００１０】
そして、構内ゲートウェイ（３）は会社と同一市外局番である地域内の局に、インターネット網（１）を介することなく、直接接続される。この接続手続きのときの申請書に構内ゲートウェイ（３）が設置される居所が記入され、この居所が地域内の局のデータベース（図示せず。）に登録される。
【００１１】
構内ゲートウェイ（３）は地域内の公衆電話網（２４）を介して緊急通報施設（１０）を含む加入者電話装置（通常の電話機）と接続され、音声データとＩＰパケットの変換を行う。
【００１２】
ＶｏＩＰ電話装置Ａ（４）の制御回路（４１）はメモリ（４２）に書き込まれたプログラムにより各部を制御する。また、メモリ（４２）は制御回路（４１）の動作に必要な情報、例えば、特番（１００番や１１９番など、１から始まる「１××」の番号、ＮＴＴ特番とも呼ばれる。）を記憶する。表示部（４３）は通話や設定などに係る情報を表示する。入力部（４４）は通話や設定などの操作を行う。
【００１３】
ＶｏＩＰ電話装置Ｂ（５）、ＶｏＩＰ電話装置Ｃ（６）はＶｏＩＰ電話装置Ａ（４）と同じハード構成であり、端末を特定する番号が異なる。
【００１４】
上述の構成における、構内のＶｏＩＰ電話装置Ａ（４）からの発呼動作を説明する。図２はＶｏＩＰ電話装置Ａ（４）の制御回路（４１）の動作を示すフローチャートである。
【００１５】
ＶｏＩＰ電話装置Ａ（４）の入力部（４４）で発呼操作が行われると、制御回路（４１）は、発呼で指定された番号がメモリ（４２）に記憶されている特番と一致するか否かを調べる（Ｓ１）。
【００１６】
特番と異なる発呼が行われた場合は（Ｓ１のＮ）、即ち、通常の電話番号の発呼がおこなわれた場合は、制御回路（４１）は発呼信号をＩＰパケットでインターネット網（１０）を介してセントレックスサーバ（１４）に送信する。前述の如く、セントレックスサーバ（１４）は発呼先に応じてインターネット網（１０）に接続されるＶｏＩＰ電話装置や、インターネット網（１０）に接続されるセントレックスゲートウェイ（１６）を介して公衆回線網（２０）の加入者電話装置（２５）に発呼信号を送信する。例えば、福岡市のＶｏＩＰ電話装置Ａ（４）から仙台市の加入者電話装置（２５）へ発呼する場合は、セントレックスサーバ（１４）は仙台市に配設されたセントレックスゲートウェイ（１６）に発呼信号を送信して、仙台市の市外局番となる公衆電話網の局に発呼信号を送信することになる。
【００１７】
特番と同一の発呼が行われた場合は（Ｓ１のＹ）、制御回路（４１）は発呼信号をＩＰパケットで構内ゲートウェイ（３）に送信する。構内ゲートウェイ（３）は会社と同一市外局番である地域内の局に、直接接続されているので、会社と同一市外番号の緊急通報施設（２６）に発呼信号を送信する。この場合は緊急通報施設（２６）が地域内の局から構内ゲートウェイ（３）の居所の情報を得ることができる。
【図面の簡単な説明】
【００１８】
【図１】本発明の要部の構成を示すブロック図である。
【図２】本発明の制御回路の動作を示すフローチャートである。
【図３】従来の構成を示すブロック図である。
【符号の説明】
【００１９】
１  構内ＩＰ電話システム
３  構内ゲートウェイ
４，５，６  ＶｏＩＰ電話装置
１０  インターネット網
１４  セントレックスサーバ
１６  セントレックスゲートウェイ
２０  公衆回線網
２１  地域外の局
２２  加入者電話装置
２３、２５  緊急通報施設
２４、２６  地域内の局
４１  制御回路
４２  メモリ
【図１】
2006287475.tif 000003
【図２】
2006287475.tif 000004
【図３】
2006287475.tif 000005